(57)【要約】      （修正有）【課題】種々形状の物品に衝撃やこすれによって傷が付くのを防止できると共に物品を能率よく包装できるようにした緩衝性に優れた包装袋を提供する。【解決手段】弾性及び可撓性を有する外袋１０と内袋２０とを内外に重ね合わせた包装袋１において、外袋１０は内袋２０と同等以下の剛性を有し、内袋２０は外袋１０より同等以下の柔軟性を有するシートからなっている。外袋１０は周壁面に形成された、中空部を有し外方へ突設された多数の外突部を有し、内袋２０は周壁面に形成された、中空部を有し内方へ突設された多数の内突部を有してなり、外突部の中空部と内突部の中空部とが整合している。【選択図】図１
0003191805.tif 000002
【実用新案登録請求の範囲】
【請求項１】
弾性及び可撓性を有する外袋と内袋とを内外に重ね合わせた包装袋において、
前記外袋は周壁面に形成された、中空部を有し外方へ突設された多数の外突部を有し、
前記内袋は周壁面に形成された、中空部を有し内方へ突設された多数の内突部を有してなり、
前記外突部の中空部と内突部の中空部とが整合していることを特徴とする包装袋。
【請求項２】
外突部が外袋の基準面から外方へ突出する中空の突部からなっており、
内突部が内袋の基準面から内方へ突出する中空の突部からなっており、
前記外突部が外袋の基準面との間で形成されるベース稜線と、内突部が内袋の基準面との間で形成されるベース稜線とが一致し、または外突部のベース稜線の範囲内に内突部のベース稜線が１または複数含まれていることを特徴とする請求項１に記載の包装袋。
【請求項３】
外突部のベース稜線を形成する辺が、該外突部に隣接する外突部のベース稜線の辺と一致しており、
該一致した辺が直線状または曲線状に連続して延びて折曲げ用の罫線となっていることを特徴とする請求項１または２に記載の包装袋。
【請求項４】
外袋と内袋とは周壁面の開口部近傍が平坦面となると共に、外突部と内突部が形成された個所は底部で折り返されており、周壁面の左右の縁部は一体に溶着されていることを特徴とする請求項１から３のいずれかに記載の包装容器。
【請求項５】
外袋は内袋と同等以下の剛性を有し、内袋は外袋より同等以下の柔軟性を有するシートからなっていることを特徴とする請求項１から４のいずれかに記載の包装容器。
【考案の詳細な説明】
【技術分野】
【０００１】
本考案は、種々形状の物品に衝撃やこすれによって傷が付くのを防止できると共に物品を能率よく包装できるようにした緩衝性に優れた包装袋に係る。
【背景技術】
【０００２】
衝撃に弱い商品や、各種形状の商品など、表面に傷が付き易い商品を収納して保管したり持ち運ぶ際には、従来、上記商品を多数の気泡体を有するポリエチレン気泡緩衝材の包装材を用いて包装している。
例えば、実開平５−４０１４６号の包装材では、クッション機能を有する材料で外袋を形成し、該外袋の内側に内袋を形成し、前記外袋と前記内袋とはそれぞれの両側辺を共に止着した包装袋が提案されている。
しかし、上記構成では、内袋はクッション機能を有しないため、外袋と内袋とが別々となってクッション機能を十分に活かすことができず、また、商品の形状に凹凸がある場合などに商品の外周面に倣って包装することができないなどの不具合があった。
【先行技術文献】
【特許文献】
【０００３】
【特許文献１】実開平５−４０１４６号公報
【考案の概要】
【考案が解決しようとする課題】
【０００４】
この考案は、上記事情に鑑みて創案されたものであって、その主たる課題は、クッション性を高めると共に、収納する商品の形状に拘わらず商品を収納・保持することができ、更に、外観の美粧性を高めることができる包装袋を提供することにある。
【課題を解決するための手段】
【０００５】
本考案は、上記課題を達成するために、請求項１の考案では、
弾性及び可撓性を有する外袋と内袋とを内外に重ね合わせた包装袋において、
外袋は内袋と同等以下の剛性を有し、内袋は外袋より同等以下の柔軟性を有するシートからなっており、
前記外袋は周壁面に形成された、中空部を有し外方へ突設された多数の外突部を有し、
前記内袋は周壁面に形成された、中空部を有し内方へ突設された多数の内突部を有してなり、
前記外突部の中空部と内突部の中空部とが整合していることを特徴とする。
請求項２の考案では、
外突部が外袋の基準面から外方へ突出する中空の突部からなっており、
内突部が内袋の基準面から内方へ突出する中空の突部からなっており、
前記外突部が外袋の基準面との間で形成されるベース稜線と、内突部が内袋の基準面との間で形成されるベース稜線とが一致し、または外突部のベース稜線の範囲内に内突部のベース稜線が１または複数含まれていることを特徴とする。
請求項３の考案では、
外突部のベース稜線を形成する辺が、該外突部に隣接する外突部のベース稜線の辺と一致しており、
該一致した辺が直線状または曲線状に連続して延びて折曲げ用の罫線となっていることを特徴とする。
請求項４の考案では、
外袋と内袋とは周壁面の開口部近傍が平坦面となると共に、外突部と内突部が形成された個所は底部で折り返されており、周壁面の左右の縁部は一体に溶着されていることを特徴とする。
請求項５の考案では、
外袋は内袋と同等以下の剛性を有し、内袋は外袋より同等以下の柔軟性を有するシートからなっていることを特徴とする。
【考案の効果】
【０００６】
本考案の包装袋は、内袋と外袋の二重構造からなると共に、内袋には内突部が形成されて、外袋には外突部が形成されるので、包装袋に収納される物品に対しては内突部の先端が直接接して緩衝することができ、外的衝撃に対しては外突部と内突部が協働して衝撃を緩衝させることができる。
即ち、外突部の中空部内には内突部が撓んで嵌合することができ、内突部の中空部には外突部が撓んで嵌合することができるので、撓み量を拡大し、緩衝効果を高めることができる。
また、外突部は強度を高めて大きな外的衝撃に対応させ、内突部は柔軟性を持たせるようにすれば収納物品を柔軟に保護することができる。
【図面の簡単な説明】
【０００７】
【図１】実施例１の包装袋の斜視図である。
【図２】同平面図である。
【図３】同要部断面図である。
【図４】実施例２の包装袋の斜視図である。
【図５】同平面図である。
【図６】包装袋の製作手順を示す斜視図であって、（ａ）は外袋用シートと内袋用シートを重ねる前の状態、（ｂ）は中央で２つ折りした状態、（ｃ）は縁部を溶着した状態、（ｄ）は溶着部の中央を分断して包装袋とした状態を示す。
【図７】外突部と内突部の撓んだ状態を示す部分断面図である。
【図８】実施例３の包装袋の斜視図である。
【考案を実施するための形態】
【実施例１】
【０００８】
以下に、この考案の包装袋の実施例について図面を参照しながら説明する。
図１から３に示す包装袋１は、左右の縁部が一体に固定された外袋１０と内袋２０とで構成されており、外袋１０には中空部Ｓ１を有し外方へ突出する多数の外突部１１が形成され、内袋２０には中空部Ｓ２を有し内方へ突出する多数の内突部２１がそれぞれ形成されている。
そして、内袋２０の内突部２１と、外袋１０の外突部１１とは、それぞれが突出方向と反対の方向に撓んだ際に、対向する外突部１１または内突部２１の中空部Ｓ２内に撓みながら嵌合して、衝撃を緩衝することができるようになっている（図３、図７参照）。
【０００９】
本実施例では、外袋１０と内袋２０は合成樹脂シートからなっており、外袋１０は内袋２０より剛性を有する素材からなっており、内袋２０は外袋１０より柔軟性を有する素材からなっている。
また、例えば、同じ合成樹脂でも外袋１０を厚く、内袋２０を薄くしてもよい。
この考案では、上記素材は特に限定されるものではなく、例えば,外袋１０と内袋２０は剛性や柔軟性において同じ素材を用いてもよい。
また、例えば機能性を有する層を積層した積層シートや、合成シートなどでもよく、要するに弾性及び可撓性を有し突部を形成しうる公知の素材であればよい。
【００１０】
前記外袋１０と内袋２０は、内袋２０を外袋１０の内面に揃えて重ね合わせ、縁部を一体に溶着または接着して包装袋１としている（図６の実施例２の製法に準じる）。
そして、前記外袋１０と内袋２０とは、独立した２つの袋ではなく、左右の縁部で一体にシールされた二重袋となっている。
【００１１】
包装袋１の袋の形状は、図示例ではサイドシール袋（シートを半分に折り、折り部を底部として左右両縁部をシールしたもの）を例示したが、ボトムシール袋、三方シール袋、ピロー袋、ガゼット袋、スタンディングパウチ袋などの公知の形状に適用することができる。
【００１２】
外袋１０と内袋２０には、それぞれ前者に外突部１１、後者に内突部２１が形成されている。
外袋１０の外突部１１は、外袋１０の基準面となるベース面Ｂ１から外方へ突出する無底で中空部Ｓ１を有する突部からなっており、本実施例では三角錐からなっている。
そして、該外突部１１はベース面Ｂ１との間に稜線としてのベース稜線１６が形成される。
このベース稜線１６は、任意の形状でよいが、図示例では二等辺三角形からなっている。
【００１３】
本実施例のベース稜線１６は、前記外突部１１の周囲に隣接する外突部１１のベース稜線１６と共通するように配置されている。
即ち、多数の外突部１１は、そのベース稜線１６の各稜線部分が多数の突部間で連続して、折曲げ用の罫線となっている。
【００１４】
前記ベース稜線１６が二等辺三角形からなって、隙間なく連続するように、二等辺三角形の底辺１６ｃを縦軸とし、左右に隣接する外突部１１は縦軸を中心に左右対称に配置し、二等辺三角形の頂点は頂点に接する縦軸を中心に左右対称となるように配置されており、該縦軸は上下に連続して縦に伸びる折曲げ用の罫線Ｌ１０としてしており、平行に複数形成される。
なお、二等辺三角形の底辺１６ｃが横軸となるように（９０度傾けて）配置すれば、縦に伸びる折曲げ用の罫線Ｌ１０の替わりに横に伸びる折曲げ用の罫線（図示せず）とすることもできる。
【００１５】
同時に、上下に隣接する外突部１１は、一方の外突部１１の二等辺三角形の一方（または他方）の斜辺１６ａと、他方の外突部１１の二等辺三角形の他方（または一方）の斜辺１６ｂとを一致させて右から左に下降する傾斜軸、および左から右に下降する傾斜軸とし、該傾斜軸はそれぞれ延長方向に連続するように配置して斜めに伸びる折曲げ用の罫線Ｌ１１、Ｌ１２としている。
【００１６】
このように多数の外突部１１のベース稜線１６ａ〜１６ｃを揃えることで、外袋１０に縦（または横）と斜め方向に連続して延びる折曲げ用の罫線Ｌ１０、Ｌ１１、Ｌ１２を形成することができるので、外袋１０の素材に比較的に剛性のある素材を用いても収納する物品に対応して撓ませることができる。
【００１７】
内袋２０の内突部２１は、前記内突部２１に準じた形状であって、内袋２０の基準となるベース面Ｂ２から内方へ突出する無底で中空部Ｓ２を有する突部からなっている。
従って、外突部１１と内突部２１の間には、それぞれの中空部Ｓ１，Ｓ２が連なって大きな中空が形成されるようになっている。
また、上記内突部２１は、撓んだ際に外突部１１の中空部Ｓ１内に嵌合しうる形状に形成されている。
本実施例では、外袋１０の外突部１１と同じ三角錐の形状からなっている。
従って、外突部１１も、内向きに撓んだ際に内突部２１の中空部Ｓ２内に嵌合しうる。
【００１８】
この考案では、内突部２１のベース稜線２６を外袋１０のベース稜線１６に揃えておけば突出形状は他の角錐や円錐など任意の形状でもよく、要するに内突部２１の中空部Ｓ２内に嵌合しうる形状でもよい。
あるいは,外突部１１のベース稜線１６の範囲内に複数の内突部２１が含まれるように形成してもよい。
内袋２０は、包装袋１に収納される物品Ｇに触れるので、柔軟に保持するために外袋１０より柔軟な素材を用いることができる。
そして、上記内袋２０の内突部２１が外袋１０の外突部１１の中空部Ｓ１に整合するように位置決めするため、内袋２０と外袋１０とは、その縁部が一体に接着や溶着、または固定具などで固着される。
【００１９】
これにより、包装袋１の内部、即ち、内袋２０の内部に収納された物品は、内袋２０と接するが、内突部２１を介して内袋２０の柔軟性ある素材に囲まれて保護され、同時に外袋１０の剛性ある外突部１１によって外部からの衝撃を緩衝することができる。
また、外袋１０は前記折曲げ用罫線Ｌ１０、Ｌ１１、Ｌ１２に沿って物品の形状に対応して大きく撓むことができるので、外袋１０の外突部１１の弾性だけでなく、物品Ｇの形状に倣った変形により効果的に緩衝機能を発揮させることができる。
【００２０】
このように形成される包装袋１は、上端の開口部５の周縁を平坦部３（外袋の平坦部１３と内袋の平坦部２３）とし、該平坦面３を除いた部分に前記外突部１１、２１を隙間なく形成している。
上記平坦部３を設けることで、外袋１０及び内袋２０の平坦面１３、２３における可撓性を高めて、包装袋１の開口部５を紐やリボンなどの締付具で締め付けて封止することができる。
【実施例２】
【００２１】
上記実施例１では、ベース稜線１６、２６を平面視二等辺三角形としたが、正方形や長方形や円形などの任意の幾何形状であってもよい。
図４、図５は、外袋１０の外突部１１を四角錐とした場合の実施例であり、この場合は、外突部１１を縦横に隙間なく並べており、枡目状のベース稜線１６により、延出方向に連続する縦軸と、横軸とが縦に伸びて、縦に伸びる折り曲げ用罫線Ｌ１０と横に伸びる折り曲げ用罫線Ｌ１３とがそれぞれ平行に形成される。
内袋２０の内突部２１は同様に四角錐として内向きに突出されている。
その他の構成は前記実施例と同様であるので、その説明を省略する。
【実施例３】
【００２２】
図８に示す実施例３の包装袋１は、外突部１１が略楕円形の突部からなって外向きの突出して縦横に配列されており、外突部１１間に千鳥配列で異なる形状のやや小さい略楕円形の外突部１１’が形成されている。
内突部は図示しないが、上記外突部１１、１１’に対応して内向きに突設されている。
その他の構成は前記実施例と同様であるので、その説明を省略する。
【００２３】
なお、上記実施例の包装袋１は公知の製法を用いて製作することができる。
実施例２の包装袋１の一例を図６を参照して説明すると、外袋１０のブランクとなる矩形のシート１０’と内袋２０のブランクとなる矩形のシート２０’を、外突部１１に内突部２１が嵌合するように重ね合わせる（同図（ａ）参照）。
ここで各シート１０’、２０’には、それぞれ所定数の外突部１１、内突部２１のグループと、該突部のグループの間に形成される平坦な縁部形成部４’と、突部のグループの前後に形成される平坦部１３、２３とが形成されている。
【００２４】
前記外袋１０となるシート１０’が外側になるように前記シート１０’、２０’の全体をほぼ中央から曲げて二つ折りにする（同図（ｂ）参照）。
そして、この二つ折りにしたシート１０’、２０’の縁部形成部４’に沿って電熱型或いは高周波型の溶断器などで切断する（同図（ｃ）参照）。
【００２５】
その際、上記切断の工程で、シートを切断すると共にその切断面を熱で溶着し、袋の左右の縁部４が形成され、同時に上端は開放されて外袋１０と内袋２０の開口部５が自動的に形成される。
そして、前記外袋１０と前記内袋２０とが共に止着され、一組のシート体から複数の包装袋１を簡単に作ることができる（同図（ｄ）参照）。
【００２６】
なお、外袋１０と内袋２０の色を変えることで美粧性を高めることができる。
例えば、外袋１０を透明や半透明色とし、内袋２０を外袋１０から透けて見える半透明色や不透明な有彩色としてもよい。
また、本実施例では外袋１０の内側に１つの内袋２０を設けたが、内袋を多重に設けてもよい。
【００２７】
上記実施例では隙間なく外突部や内突部を連続させた場合を例示したが、外突部や内突部を散点状に配置したものでもよい。
その場合も、外突部と内突部とは、それぞれの中空部が整合し連通しうる構成であればよい。
また、前記開口部の近傍に、例えば、筋状の凹凸による開口封止手段を設ける構成、あるいは貫通穴を穿設して把持部にするなど、公知の構成を付加してもよい。
その他、要するにこの考案の要旨を変更しない範囲で種々設計変更しうること勿論である。
【符号の説明】
【００２８】
１    包装袋
２    開口部
３    平坦部
４    縁部
５    開口部
１０    外袋
１３    平坦部
１５    突部
１６ａ〜ｃ  ベース稜線
１７ａ〜ｃ  折畳用の罫線
２０    内袋
２３    平坦部
２５    突部
２６ａ〜ｃ  ベース稜線
２７ａ〜ｃ  折畳用の罫線
Ｌ１０  縦に伸びる折曲げ用の罫線
Ｌ１１、１２  斜めに伸びる折曲げ用の罫線
Ｌ１３  横に伸びる折曲げ用の罫線
【図１】
0003191805.tif 000003
【図２】
0003191805.tif 000004
【図３】
0003191805.tif 000005
【図４】
0003191805.tif 000006
【図５】
0003191805.tif 000007
【図６】
0003191805.tif 000008
【図７】
0003191805.tif 000009
【図８】
0003191805.tif 000010